(57)【要約】【課題】装置の大型化を招くことなく、外力に対して破損し難い構造を得ることができる画像表示装置を提供する。【解決手段】画像表示ユニット３２は、液晶パネル４および液晶表示パネル４の外周部を囲うベゼルフレーム５９を備える。液晶表示パネル４の第２のガラス基板４２には、第１のガラス基板４１の端面４１ａより外方に突出する接続部４２ｂが設けられている。ベゼルフレーム５９には、スリット５９ｄが形成され、スリット５９ｄは、第１のガラス基板４１の端面４１ａと対向する位置（位置Ｃ）に配置されている。ベゼルフレーム５９は、液晶表示パネル４の上記接続部４２ｂとの間に間隙を設けて、液晶表示パネル４の外周部を囲う。また、ベゼルフレーム５９は、第１のガラス基板４１に貼り付けられている偏光板４３と電気的に接続される。【選択図】図６
2010066683.tif 000002
【特許請求の範囲】
【請求項１】
第１のガラス基板と第２のガラス基板が重ねられ、前記第１のガラス基板の表面に偏光板が貼り付けられている表示パネルと、前記表示パネルの外周部を覆うフレーム部材とを備える画像表示装置であって、
前記フレーム部材は前記偏光板と電気的に接続されるとともに、前記第１のガラス基板の端面に対向する位置にスリットが形成されることを特徴とする画像表示装置。
【請求項２】
前記スリットは、前記第１のガラス基板の端面と前記第２のガラス基板の端面との位置が異なる部分で、前記第１のガラス基板の端面に対向する位置に形成されることを特徴とする請求項１に記載の画像表示装置。
【請求項３】
第１のガラス基板と第２のガラス基板が重ねられ、前記第１のガラス基板の表面に偏光板が貼り付けられている表示パネルと、前記表示パネルの外周部を覆うフレーム部材とを備える画像表示装置であって、
前記フレーム部材にはスリットが形成され、前記スリットよりも内側部分で前記フレーム部材は前記偏光板と電気的に接続されるとともに、前記スリットの外側端面は前記第１のガラス基板の端面よりも外側に位置することを特徴とする画像表示装置。
【請求項４】
開口部が形成されている外装カバーと、
前記外装カバーと前記フレーム部材との間に挟み込まれているクッション部材とを備え、
前記クッション部材は、前記フレーム部材における前記スリットより外側に位置する部位を押圧するように配置されていることを特徴とする請求項１ないし３のいずれか１項に記載の画像表示装置。
【請求項５】
前記外装カバーには、前記表示パネルを保護するための保護窓が嵌め込まれており、
前記クッション部材は、前記保護窓と前記フレーム部材との間に挟み込まれていることを特徴とする請求項４に記載の画像表示装置。
【発明の詳細な説明】
【技術分野】
【０００１】
本発明は、デジタルカメラなどの電子装置に搭載される画像表示装置に関する。
【背景技術】
【０００２】
近年、電子機器に対しては、小型化、薄型化が強く要求されており、このような要求に伴い電子機器に搭載される画像表示装置に対して、薄型化などが要求されている。
【０００３】
このような画像表示装置としては、重ね合わされている一対のガラス基板内に液晶が封入されている液晶表示パネル、液晶表示パネルを保持するベゼルフレーム、およびバックライトユニットを有する液晶表示装置がある。
【０００４】
上記液晶表示装置においては、液晶表示パネルの薄型化を図るために、ガラス基板が薄型化されている。そのため、液晶表示パネルに関しては、外力に対して脆弱であるなど、強度不足が懸念されている。
【０００５】
そこで、デジタルカメラなどに搭載される液晶表示装置に対しては、強度が不足する部分を、補強部材により補強することが提案されている。例えば、液晶表示装置の外側に、ガラス基板の一辺（短辺）を保持する補強部材を設けているものがある（特許文献１参照）。また、ベゼルフレームの一辺（長辺）に沿って延びる細長い補強部材を設けているものがある（特許文献２参照）。
【０００６】
また、液晶表示装置としては、アクティブマトリックス方式によるものが主流であり、このアクティブマトリックス方式には、液晶塑性物に電界を加える電極構造の違いにより、縦電界方式と横電界方式とがある。このうち横電界方式は、視野角に優れた性能を有するが、液晶表示パネル表面に静電気が帯電した場合、光が透過し、表示画面が白く見えるという欠点を有する。そのため、無通電時に表示画面が黒い状態になる、いわゆるノ−マリブラック液晶表示装置の中には、液晶表示パネル表面に静電気が帯電した場合、電源が切れていても、全白の斑が出るなどの表示不良が発生するものがある。
【０００７】
このような静電気による表示不良を解消するために、導電性のシートをフレームに挟むことにより、電荷を逃がす技術（特許文献３参照）が提案されている。また、金属フレ−ムの一部から舌片を突出させ、当該舌片を液晶表示パネルの外周部または基板部と当接させることにより、カメラ本体のグランドレベルと電気的に接触させる技術が提案されている（特許文献４参照）。
【特許文献１】特開平８−８７００４号公報
【特許文献２】特開平１０−１３３１７９号公報
【特許文献３】特開２００６−２０１３５９号公報
【特許文献４】特開２００３−１８５９９５号公報
【発明の開示】
【発明が解決しようとする課題】
【０００８】
一般的に、液晶表示パネルにおいては、一対のガラス基板のうち、一方のガラス基板がフレキシブル基板と接続されるために、他方のガラス基板には外方に向けて突出する突出部が形成されているので、当該突出部は特に脆弱な部分である。
【０００９】
しかしながら、上記突出部を補強するためには、上述したように、単に補強部材の追加が考えられるが、この補強部材の追加は、外力による上記突出部の破損を防止するためには十分でない。また、補強部材を大型化することも考えられるが、液晶表示パネルおよび液晶表装置、ひいてはそれを搭載する電子装置が大型化し、小型化、薄型化の要求に応えることができないことになる。
【００１０】
また、静電気による表示不良を解消するために、上述したように、導電性のシートをフレームに挟むことは、小型化、薄型化の要求に反するとともに、コストアップを招くことになる。
【００１１】
また、金属フレ−ムの一部から突出させた舌片を液晶表示パネルの外周部または基板部と当接させる場合、舌片が液晶表示パネルに対して点接触または線接触し、ガラス基板に応力が集中することになる。その結果、液晶表示パネルのガラス基板が破損し易くなる。
【００１２】
本発明の目的は、装置の大型化を招くことなく、外力に対して破損し難い構造を得ることができる画像表示装置を提供することにある。
【課題を解決するための手段】
【００１３】
本発明は、上記目的を達成するため、第１のガラス基板と第２のガラス基板が重ねられ、前記第１のガラス基板の表面に偏光板が貼り付けられている表示パネルと、前記表示パネルの外周部を覆うフレーム部材とを備える画像表示装置であって、前記フレーム部材は前記偏光板と電気的に接続されるとともに、前記第１のガラス基板の端面に対向する位置にスリットが形成されることを特徴とする画像表示装置を提供する。
【００１４】
本発明は、上記目的を達成するため、第１のガラス基板と第２のガラス基板が重ねられ、前記第１のガラス基板の表面に偏光板が貼り付けられている表示パネルと、前記表示パネルの外周部を覆うフレーム部材とを備える画像表示装置であって、前記フレーム部材にはスリットが形成され、前記スリットよりも内側部分で前記フレーム部材は前記偏光板と電気的に接続されるとともに、前記スリットの外側端面は前記第１のガラス基板の端面よりも外側に位置することを特徴とする画像表示装置を提供する。
【発明の効果】
【００１５】
本発明によれば、装置の大型化を招くことなく、外力に対して破損し難い構造を得ることができる。また、フレーム部材と表示パネルに貼り付けられた偏光板とを接触させることによって、静電気による表示不良の発生をなくすことができる。
【発明を実施するための最良の形態】
【００１６】
以下、本発明の実施の形態について図面を参照しながら説明する。
【００１７】
図１は本発明の一実施の形態に係る画像表示装置（画像表示ユニット）を搭載するデジタルカメラの主要部を示す分解斜視図である。図２は図１のデジタルカメラの背面図である。
【００１８】
デジタルカメラ１００は、図１に示すように、フロントカバー１６、トップカバー１７、左右のサイドカバー２１，３１およびリアカバー１１を含む外装カバーと、メインシャーシ２４を備える。メインシャーシ２４は、電池収納ユニット２８、ファインダユニット２６が取り付けられている鏡筒ユニット２６、メイン基板２９、画像表示ユニット（画像表示装置）３２などの各種ユニット、部品などを保持する。画像表示ユニット３２は、液晶表示装置からなり、複数の固定ネジ３３，３４により、メインシャーシ２４に固定されている。
【００１９】
デジタルカメラ１００のリアカバー１１には、図２に示すように、開口部１１ａが設けられており、当該開口部１１ａには、画像表示ユニット３２を保護するための透明なガラス製の保護窓１２が嵌め込まれている。また、リアカバー１１には、ファインダユニット２６の接眼窓、モードレバー１３、ジョグダイアルユニット１４、複数の操作ボタン１５ａ〜１５ｄをそれぞれ外部に露出させるための開口が設けられている。モードレバー１３は、撮影モードを切り換えるためのレバーである。ジョグダイアルユニット１４は、デジタルカメラ１００の複数の機能のうち、１つの機能を選択して設定するためのダイアルユニットである。各操作ボタン１５ａ〜１５ｄは、各種機能の起動例えば再生機能の起動、メニュー画面の表示の起動などを行うためのボタンである。
【００２０】
次に、画像表示ユニット３２の構成について図３〜図５を参照しながら説明する。図３は図１の画像表示ユニット３２の構成を示す分解斜図である。図４は図３の液晶表示パネル４を示す分解斜視図である。図５は図３のべゼルフレーム５９に液晶表示パネル４が組み込まれている状態を示す平面図である。
【００２１】
画像表示ユニット３２は、図３に示すように、外形が矩形状からなる金属製のフレーム５１およびベゼルフレーム５９（フレーム部材）を有する。フレーム５１には、４つの凸５１ａ（図中には３つのみ図示）が形成されている。
【００２２】
ベゼルフレーム５９は、後述する液晶表示パネル４の表示領域を露出させるように、当該液晶表示パネル４の外周部を囲うためのフレームである。ベゼルフレーム５９には、４つの凹部５９ａが形成されており、各凹部５９ａは、それぞれ、対応するフレーム５１の凸部５１ａに係合可能な形状を有する。ベゼルフレーム５９の中央部には、矩形状の開口部５９ｃが形成され、その一方の短辺部には、短辺方向に伸びるスリット５９ｄが形成されている。フレーム５１とベゼルフレーム５９は、互いに重ね合わされ、対応する凸部５１ａと凹部５９ａが係合するように嵌め込まれている。
【００２３】
ベゼルフレーム５９の一方の短辺部には、画像表示ユニット３２の補強部材６０が固着され、当該補強部材６０には、外方に向けて突出する舌片部６０ａが形成されている。
【００２４】
フレーム５１とベゼルフレーム５９の間には、反射シート５２、樹脂製のスペーサ５３、導光板５４、光学シート５５、液晶表示パネル４が挟み込まれている。ここで、導光板５４には、バックライトとして機能する複数の白色ＬＥＤ５７が実装されたフレキシブル配線板５６が貼り付けられており、当該フレキシブル配線板５６の一方の面には、光漏れを防止するための遮光テープ５８が貼られている。光学シート５５は、２枚の光学シート５５ａ、５５ｂと拡散シート５５ｃから構成され、これらのシートは積層されている。
【００２５】
液晶表示パネル４は、図４に示すように、互いに貼り合わされ、矩形形状を有する一対の第１のガラス基板４１および第２のガラス基板４２を有する。第１のガラス基板４１と第２のガラス基板４２との間には、液晶が封入されている。一方の第１のガラス基板４１には、偏光板４３が貼り付けられ、第２のガラス基板４２にも、同様に、偏光板（図示せず）が貼り付けられている。第１のガラス基板４１および第２のガラス基板４２に貼り付けられている偏光板４３は、それぞれ、導光板５４からの入射光のうち、特定の偏光成分のみを透過する。ここで、導光板５４からの入射光とは、バックライトフレキシブル配線板５６に実装された白色ＬＥＤ５７から導光板５４に入射した光であり、当該光は、光学シート５５を通して、液晶表示パネル４を背後から照射する。
【００２６】
第２のガラス基板４２は、第１のガラス基板４１より長手方向に長く、一方の短辺部（突出部）が、第１のガラス基板４１より突出するように、重ね合わされている。即ち、第２のガラス基板４２は、３つの辺部の端面がガラス基板４１の対応する辺部の端面に対して同一面上になるように、かつ残りの１つの辺部の端面４２ａが第１のガラス基板４１の対応する辺部の端面４１ａより突出するように、重ね合わされている。
【００２７】
上記第２のガラス基板４２の一方の短辺部には、ＡＣＦ（異方性導電膜）などからなる接続部４２ｂが形成されており、当該接続部４２ｂは、液晶パネル４を駆動するための駆動信号を供給するフレキシブル配線板４５と接続されている。
【００２８】
画像表示ユニット３２を組み立てる際には、まず、フレーム５１内に反射シート５２が置かれ、続いて、スペーサ５３、導光板５４、フレキシブル配線板５６が組み込まれる。
【００２９】
次いで、導光板５４に光学シート５５が被せられ、フレキシブル配線板５６に遮光テープ５８が貼り付けられる。そして、液晶表示パネル４が置かれ、ベゼルフレーム５９が、フレーム５に重ね合わされように嵌め込まれる。この際、ベゼルフレーム５９の各凹部５９ａとそれぞれに対応するフレーム５１の凸部５１ａは、互いに係合される。
【００３０】
このようにして、液晶表示パネル４、光学シート５５などの各部材、部品がフレーム５１とベゼルフレーム５９の間に組み込まれ、画像表示ユニット３２が構成される。ここで、液晶表示パネル４は、偏光板４３の所定領域（液晶表示パネル４の表示領域に対応する領域）がベゼルフレーム５９の開口部５９ｃから露出するように、組み込まれている。開口部５９ｃは、偏光板４３の外形寸法より小さい外形寸法を有し、偏光板４３は、その外周部がベゼルフレーム５９と接触するように配置されている。これにより、液晶表示パネル４の表面に溜まる電荷がシャーシ２４（図６参照）に逃がされる。即ち、静電気による表示不良の発生をなくすことができる。また、光が液晶表示パネル４の周囲からリアカバー１１の開口部１１ａを介して外部に漏れる光漏れをなくすこと（遮光）ができる。
【００３１】
次に、画像表示ユニット３２の取り付け状態について図６を参照しながら説明する。図６は図２のＳ−Ｓ線に沿って得られた断面の一部を示す図である。
【００３２】
画像表示ユニット３２は、図６に示すように、固定ネジ３３，３４（図１）により、メインシャーシ２４に固定されている。詳細には、画像表示ユニット３２のフレーム５１は、メインシャーシ２４に対して、偏光板４３がリアカバー１１の開口部１１ａに嵌め込まれている保護窓１２と対向するように位置決めされ、固定されている。
【００３３】
保護窓１２は、リアカバー１１と両面テープ１２ａで接着されている。画像表示ニット３２のベゼルフレーム５９と保護窓１２の間には、保護窓１２に貼り付けられているクッション材１２ｂが、ベゼルフレーム５９に押し付けられるように、挿入されている。このクッション材１２ｂにより、画像表示ユニット３２の周囲から画像表示領域へゴミなどの異物が侵入することが防止される。
【００３４】
補強板６０は、メインシャーシ２４とリアカバー１１との間に挿入され、その舌片部６０ａは、メインシャーシ２４に固定されている。
【００３５】
ここで、ベゼルフレーム５９の開口５９ｃおよびスリット５９ｄ、クッション部材１２ｂ、第１のガラス基板４１、第２のガラス基板４２のそれぞれの配置関係について説明する。
【００３６】
ここでは、ベゼルフレーム５９の開口部５９ｃを規定する端面（内周端面）の位置をＡ、ベゼルフレーム５９に設けられたスリット５９ｄを規定する内側端面および外側端面の位置をＢ，Ｄとする。また、第１のガラス基板４１の端面４１ａの位置をＣとする。
【００３７】
偏光板４３の端面は位置Ａよりも外側方向に位置しているので、位置Ａから偏光板４３の端面までの間でベゼルフレーム５９と偏光板４３とは重なり合って電気的に接続されている。すなわち、スリット５９ｄよりも内側部分でベゼルフレーム５９は偏光板４３と電気的接続される。
【００３８】
上記位置Ｂ〜Ｄの関係から、ベゼルフレーム５９のスリット５９ｄは、第１のガラス基板４１の端面４１ａと対向する位置に配置されている。したがって、スリット５９ｄの外側端面は第１のガラス基板４１の端面４１ａよりも外側に位置する。
【００３９】
また、クッション材１２ｂは、一部分がベゼルフレーム５９のスリット５９ｄの一部分に被され、他の部分がベゼルフレーム５９に押し付けられるように、配置されている。
【００４０】
このような配置関係において、リアカバー１１（デジタルカメラ１００の背面）に外力Ｐが作用する場合を想定する。この場合、外力Ｐはクッション材１２ｂを通してベゼルフレーム５９に加わり、ベゼルフレーム５９を撓ませる。ここで、クッション材１２ｂは、その一部分がベゼルフレーム５９のスリット５９ｄの一部分に被され、他の部分がベゼルフレーム５９に押し付けられるように配置されている。これにより、外力Ｐにより、ベゼルフレーム５９における開口部５９ｃを規定する端面（内周端面：位置Ａ）とスリット５９ｄの間の部位が撓むことはない。即ち、外力Ｐにより上記部位が撓み、それによる力が液晶表示パネル４に加わることはない。
【００４１】
また、スリット５９ｄを規定する外周側端面（位置Ｄ）は、ガラス基板４１の端面４１ａ（位置Ｃ）より、画像表示ユニット３２の外周側方向に離間されている。よって、外力Ｐによってベゼルフレーム５９の位置Ｄの部分が撓んだとしても、ベゼルフレーム５９の位置Ｄの部分が第１のガラス基板４１の端面４１ａ（位置Ｃ）に接触することはない。
【００４２】
また、上述したように、第２のガラス基板４２の一方の短辺部（接続部４２ｂ）は、第１のガラス基板４１の端面４１ａより外周側方向に突出して、当該短辺部とベゼルフレーム５９の間には、間隙が設けられている。従って、外力Ｐによりベゼルフレーム５９が所定範囲内の撓み量で撓んだとしても、ベゼルフレーム５９が第２のガラス基板４２の一方の短辺部（接続部４２ｂ）を押圧することもない。
【００４３】
このように、本実施の形態によれば、装置の大型化を招くことなく、外力に対して液晶表示パネル４が破損し難い構造を得ることができる。
【００４４】
次に、ベゼルフレーム５９にスリット５９ｄが形成されておらず、クッション材１２ｂの一部がベゼルフレーム５９のスリット５９ｄを完全に覆う（クッション材１２ｂの一部が上記位置Ｂより内側（Ｘ２側）にある）場合を想定する。この場合、リアカバー１１に外力Ｐが作用すると、ベゼルフレーム５９の開口部５９ｃの周囲の部位が液晶表示パネル４の偏光板４３に接触しているので、液晶表示パネル４に力（当該液晶表示パネル４をメインシャーシ２４に向けて押し付ける力）が加わる。
【００４５】
ここで、ベゼルフレーム５９においては、第２のガラス基板４２の接続部４２ｂを覆うために、４つの縁部のうち、１つの縁部（開口部５９ｃを規定する端面の位置ＡからＸ１方向に沿う部位）の幅が、他の縁部の幅より長くされている。よって、上記１つの縁部は他の縁部に比して撓み易い。また、上記位置Ａは、リアカバー１１の中央部に近い位置であるので、位置Ａにおける外力Ｐによるリアカバー１１の変形は大きなものになり、ベゼルフレーム５９の撓みがさらに大きなくることがある。その結果、ベゼルフレーム５９の撓みにより液晶表示パネル４に外力が加わり、ひいては液晶表示パネル４の破損を招くことがある。
【００４６】
本実施の形態は、上述したように、ベゼルフレーム５９に第１のガラス基板４１の端面４１ａ（位置Ｃ）と対向するスリット５９ｄを形成し、クッション材１２ｂの一部分がベゼルフレーム５９のスリット５９ｄに一部分に被さるような配置関係を採用する。これにより、上述した、ベゼルフレーム５９にスリット５９ｄが形成されておらず、クッション材１２ｂの一部がベゼルフレーム５９のスリット５９ｄを完全に覆う場合とは異なり、外力に対して、液晶表示パネル４が破損し難い構造を得ることができる。
【００４７】
本実施の形態においては、ベゼルフレーム５９のスリット５９ｄを規定する内周側端面（位置Ｂ）が第１のガラス基板４１の端面４１ａ（位置Ｃ）より内側（Ｘ２側）に位置するが、これに代えて、以下のようにしてもよい。
【００４８】
例えばベゼルフレーム５９のスリット５９ｄを規定する内周側端面（位置Ｂ）が第１のガラス基板４１の端面４１ａより外側（Ｘ１側）に位置するようにしてもよい。この場合、クッション材１２ｂは、その縁部が上記位置Ａと位置Ｂの間にならないように、配置する必要がある。
【００４９】
また、本実施の形態においては、位置決めのために、補強板６０の舌片部６０ａがメインシャーシ２４に当接されているが、ベゼルフレーム５９の端面５９ｅは、メインシャーシ２４とから離間している。これに代えて、ベゼルフレーム５９の端面５９ｅとメインシャーシ２４を当接させるようにしてもよい。
【図面の簡単な説明】
【００５０】
【図１】本発明の一実施の形態に係る画像表示装置（画像表示ユニット）を搭載するデジタルカメラの主要部を示す分解斜視図である。
【図２】図１のデジタルカメラの背面図である。
【図３】図１の画像表示ユニット３２の構成を示す分解斜図である。
【図４】図３の液晶表示パネル４を示す分解斜視図である。
【図５】図３のべゼルフレーム５９に液晶表示パネル４が組み込まれている状態を示す平面図である。
【図６】図２のＳ−Ｓ線に沿って得られた断面の一部を示す図である。
【符号の説明】
【００５１】
４  液晶表示パネル
１１  リアカバー
１１ａ  開口部
１２  保護窓
１２ｂ  クッション部材
２４  メインシャーシ
３２  画像表示ユニット
４１  第１のガラス基板
４２  第２のガラス基板
４１ａ，４２ａ  端面
４３  偏光板
５９  ベゼルフレーム
５９ｃ  開口部
５９ｄ  スリット
【図１】
2010066683.tif 000003
【図２】
2010066683.tif 000004
【図３】
2010066683.tif 000005
【図４】
2010066683.tif 000006
【図５】
2010066683.tif 000007
【図６】
2010066683.tif 000008